(57)【要約】【課題】現場で同種類、あるいは類似する種類の充電装置が複数台使用されているときでも、離れた位置で特定の充電装置におけるバッテリの充電完了を認識できるようにすることを目的とする。【解決手段】本発明に係る充電装置は、電動工具のバッテリを充電するための充電装置であって、リモコン操作器４４の無線出力信号を受信して信号データに変換するリモコン受信手段４１と、リモコン受信手段４１の信号データを記憶する信号記憶手段４３と、バッテリ２２の充電完了を検出したときに、信号記憶手段４３に記憶されている信号データを読み出して、出力する充電制御手段３４と、充電制御手段３４の信号データを無線信号に変換して出力し、無線受信器付きの機器であってリモコン操作器４４の無線出力信号に対応した機器を動作させるリモコン発信手段４５とを有する。【選択図】図１
2008072859.tif 000002
【特許請求の範囲】
【請求項１】
電動工具のバッテリを充電するための充電装置であって、
リモコン操作器の無線出力信号を受信して信号データに変換するリモコン受信手段と、
前記リモコン受信手段の前記信号データを記憶する信号記憶手段と、
前記バッテリの充電完了を検出したときに、前記信号記憶手段に記憶されている信号データを読み出して、出力する充電制御手段と、
前記充電制御手段の信号データを無線信号に変換して出力し、外部に設置されている無線受信器付きの機器であって前記リモコン操作器の無線出力信号に対応した機器を動作させるリモコン発信手段と、
を有することを特徴とする充電装置。
【請求項２】
請求項１に記載された充電装置であって、
リモコン操作器の無線出力信号は、無線受信器付きの機器の種類に対応して複数パターン設けられていることを特徴とする充電装置。
【請求項３】
請求項１又は請求項２のいずれかに記載された充電装置であって、
前記信号記憶手段に先の信号データが記憶されてから所定時間以内に別の信号データが入力された場合には、先の信号データと別の信号データとが共に記憶される構成であり、
前記信号記憶手段に先の信号データが記憶されてから所定時間を超えて別の信号データが入力された場合には、先の信号データに別の信号データが上書きされる構成であることを特徴とする充電装置。
【請求項４】
請求項１から請求項３のいずれかに記載された充電装置であって、
無線信号として赤外線信号が使用されることを特徴とする充電装置。
【請求項５】
請求項１から請求項４のいずれかに記載された充電装置であって、
リモコン操作器の無線出力信号をリモコン受信手段が受信する際に、発光する受信表示部を有することを特徴とする充電装置。
【請求項６】
請求項１から請求項５のいずれかに記載された充電装置であって、
リモコン発信手段が無線信号を出力する際に、発光する発信表示部を有することを特徴とする充電装置。
【請求項７】
請求項１から請求項６のいずれかに記載された充電装置であって、
複数のリモコン発信手段が異なる方向を指向して配置されていることを特徴とする充電装置。
【発明の詳細な説明】
【技術分野】
【０００１】
本発明は、電動工具のバッテリを充電するための充電装置に関する。
【背景技術】
【０００２】
電動工具に関する上記した充電装置としては、例えば、特許文献１に示すものが知られている。
特許文献１に係る充電装置は、発音部を備えており、バッテリの充電が完了したときに、音声を発するように構成されている。このため、使用者が充電装置から離れて作業をしているときでも、音声によりバッテリの充電完了を認識できるようになる。
【０００３】
【特許文献１】特開平９−２８０４４号公報
【発明の開示】
【発明が解決しようとする課題】
【０００４】
しかし、現場に、同種類、あるいは類似する種類の充電装置が複数台ある場合、単に音声を発生させるだけでは、どの充電装置でバッテリの充電が完了したのか認識できなくなることがある。
【０００５】
本発明は、上記問題点を解決するためになされたものであり、本発明が解決しようとする課題は、現場で同種類、あるいは類似する種類の充電装置が複数台使用されているときでも、離れた位置で特定の充電装置におけるバッテリの充電完了を認識できるようにすることである。
【課題を解決するための手段】
【０００６】
上記した課題は、各請求項の発明によって解決される。
請求項１の発明は、電動工具のバッテリを充電するための充電装置であって、リモコン操作器の無線出力信号を受信して信号データに変換するリモコン受信手段と、前記リモコン受信手段の前記信号データを記憶する信号記憶手段と、前記バッテリの充電完了を検出したときに、前記信号記憶手段に記憶されている信号データを読み出して、出力する充電制御手段と、前記充電制御手段の信号データを無線信号に変換して出力し、外部に設置されている無線受信器付きの機器であって前記リモコン操作器の無線出力信号に対応した機器を動作させるリモコン発信手段とを有することを特徴とする。
【０００７】
本発明によると、リモコン操作器からの無線出力信号はリモコン受信手段により信号データに変換され、その信号データが信号記憶手段に記憶される。そして、充電制御手段がバッテリの充電完了を検出したときに、信号記憶手段に記憶されている信号データが充電制御手段によって読み出されリモコン発信手段に出力される。リモコン発信手段は、前記信号データを無線信号に変換し、外部に設置されている無線受信器付きの機器であって前記リモコン操作器の無線出力信号に対応した機器を動作させる。これにより、バッテリの充電完了時に、リモコン操作器の無線出力信号に対応する無線受信器付きの機器が動作するようになる。
例えば、リモコン操作器で無線受信器付きの照明器具を選択しておけば、バッテリの充電完了時に前記照明器具を点灯させることが可能になる。同様に、無線受信器付きの照明器具の代わりに、無線受信器付きのＣＤプレーヤ、ラジオ等の音響機器やチャイム、あるいはブザー等を使用し、リモコン操作器でそれらの機器を選択することで、バッテリの充電完了時に好みの音楽等を発生させることが可能になる。
これにより、現場に複数の充電装置が存在する場合でも、使用者は特定の充電装置におけるバッテリの充電完了を明確に知ることができ、他の充電器の充電完了音と区別ができる。
【０００８】
請求項２の発明によると、リモコン操作器の無線出力信号は、無線受信器付きの機器の種類に対応して複数パターン設けられていることを特徴とする。
このため、リモコン操作器により複数種類の無線受信器付きの機器から希望する機器を選択できるようになる。
請求項３の発明によると、前記信号記憶手段に先の信号データが記憶されてから所定時間以内に別の信号データが入力された場合には、先の信号データと別の信号データとが共に記憶される構成であり、前記信号記憶手段に先の信号データが記憶されてから所定時間を超えて別の信号データが入力された場合には、先の信号データに別の信号データが上書きされる構成であることを特徴とする。
このため、バッテリの充電完了時に複数の機器を動作させることも、単独の機器を動作させることも、自由自在にできるようになる。
【０００９】
請求項４の発明によると、無線信号として赤外線信号が使用されることを特徴とする。
請求項５の発明によると、リモコン操作器の無線出力信号をリモコン受信手段が受信する際に、発光する受信表示部を有することを特徴とする。
このため、使用者がリモコン操作器を操作する時に、充電装置のリモコン受信手段が前記リモコン操作器の無線出力信号を受け付けたことを容易に判断できるようになる。
請求項６の発明によると、リモコン発信手段が無線信号を出力する際に、発光する発信表示部を有することを特徴とする。
このため、充電手段によるバッテリの充電が完了時に、充電装置のリモコン発信手段が無線信号を出力したことを使用者が容易に判断できるようになる。
請求項７の発明によると、複数のリモコン発信手段が異なる方向を指向して配置されていることを特徴とする。
このため、無線受信器付きの機器が充電装置に対してどの方向にあってもリモコン発信手段の無線信号で前記機器を動作させることが可能になる。
【発明の効果】
【００１０】
本発明によると、現場に複数の充電装置が存在する場合でも、使用者は特定の充電装置におけるバッテリの充電完了を明確に知ることができ、他の充電器の充電完了音と区別ができるようになる。
【発明を実施するための最良の形態】
【００１１】
（実施形態１）
以下、図１から図５に基づいて、本発明の実施形態１に係る充電装置の説明を行なう。本実施形態に係る充電装置は、電動工具に使用されるバッテリの充電装置である。ここで、図１は実施形態１に係る充電装置の回路構成を表すブロック図であり、図２は充電装置を構成する充電器、及び電池パックの斜視図である。図３はリモコン受信部とリモコン発信部の構成を表す模式図、図４、図５は充電装置の動作を表すフローチャートである。
【００１２】
＜充電装置１０及び電池パック２０について＞
充電装置１０は、図１に示すように、電動工具（図示省略）のバッテリ２２を収納する電池パック２０と、前記バッテリ２２の充電を行なう充電器３０とから構成されている。
電池パック２０は角形をした密閉容器であり、図２に示すように、前記電動工具、あるいは充電器３０に連結される連結部２５を備えている。そして、その連結部２５の所定位置にバッテリ用のコネクタＣＮ１が設けられている。コネクタＣＮ１には、図１に示すように、バッテリ２２用の＋、−端子が設けられている。
電池パック２０は、連結部２５が電動工具の電池パック接続部（図示省略）に連結されことで、前記電動工具と一体化される。そして、この状態で、電池パック２０のコネクタＣＮ１（＋、−端子）と前記電動工具の電気回路のコネクタ（図示省略）とが電気的に接続される。これにより、電動工具をバッテリ２２の電力で駆動できるようになる。
【００１３】
＜充電器３０について＞
充電器３０は、図２に示すように、箱形のハウジング３０ｘを備えており、そのハウジング３０ｘの上面右側に電池パック２０との連結部３５が形成されている。そして、その連結部３５の所定位置に充電用コネクタＣＮ２が設けられている。充電用コネクタＣＮ２には、図１に示すように、電池パック２０のコネクタＣＮ１と同様に、バッテリ用の＋、−端子が設けられている。これにより、図２に示すように、充電器３０の連結部３５に対して電池パック２０の連結部２５が後方から前方にスライドさせられることにより、充電器３０の連結部３５と電池パック２０の連結部２５とが嵌合し、両者２５，３５が連結される。そして、充電器３０の連結部３５と電池パック２０の連結部２５とが連結されることで、電池パック２０のバッテリ用のコネクタＣＮ１と充電器３０の充電用コネクタＣＮ２とが電気的に接続される。
【００１４】
充電器３０は、図１に示すように、電源コード３０ｒを備えており、その電源コード３０ｒのプラグが家庭用のＡＣ（交流）電源のコンセント（図示省略）に差し込み可能に構成されている。電源コード３０ｒは充電器３０の直流電源装置３１の入力端子３１ａ，３１ｂに接続されている。
直流電源装置３１は、交流の電源を二種類の直流電源、即ち、バッテリ充電用の第１直流電源（Ｖｐボルト電源）と、制御電源用の第２直流電源（Ｖｃボルト電源）とに変換するための装置である。
第１直流電源（Ｖｐボルト電源）は、直流電源装置３１の第１出力端子３１ｐ，Ｅから出力され、ＣＰＵ３４（後記する）で制御されるスイッチ３６を介して充電用コネクタＣＮ２の（＋、−端子）に接続されている。なお、符号Ｅはアース端子を表している。このため、充電器３０の充電用コネクタＣＮ２と電池パック２０のバッテリ用のコネクタＣＮ１とが接続され、さらに前記スイッチ３６がオンした状態で、直流電源装置３１の第１直流電源と電池パック２０のバッテリ２２とが電気的に接続されて充電が行なわれる。
直流電源装置３１の第２直流電源（Ｖｃボルト電源）は、第２出力端子３１ｃ，Ｅを介して制御用電源装置３３に接続されている。制御電源装置３３は、ＣＰＵ３４等の定電圧電源として使用される。
【００１５】
ＣＰＵ３４は、図示されていないメモリに格納されているプログラムに基づいてバッテリ２２の充電制御等を行なう部分である。このため、ＣＰＵ３４は、バッテリ２２の電圧や温度等によりそのバッテリ２２の充電状態を監視できるように構成されている。そして、充電完了と判定したときに前記スイッチ３６をオフにしてバッテリ２２の充電を停止する。さらに、充電完了を表すＬＥＤ（Ｒ０）を発光させる。
また、ＣＰＵ３４は、後記するリモコン受信部４１から信号データを受けて、その信号データを信号記憶部４３に記憶させる。このとき、ＣＰＵ３４は、リモコン受信部４１から信号を受信したことを表すＬＥＤ（Ｒ１）を発光させる。さらに、ＣＰＵ３４は、充電完了時に信号記憶部４３の信号データを読み出して、その信号データをリモコン発信部４５に伝送する。このとき、同時にリモコン発信部４５に対して信号を出力したことを表すＬＥＤ（Ｒ２）を発光させる。
【００１６】
＜リモコン受信部４１、リモコン発信部４５等について＞
リモコン受信部４１は、充電器３０に付属しているリモコン操作器４４の赤外線信号を受信する部分であり、受信した前記赤外線信号をＣＰＵ３４が認識可能なパルス信号に変換する。
ここで、リモコン操作器４４は、現場にあるリモコン受信器付きの機器（以下、現場機器という）を選択するための操作器であり、複数の押しボタンスイッチを備えている。リモコン操作器４４の各々の押しボタンスイッチ（No.１〜No.ｎスイッチ）は、前記現場機器、例えば、照明機器、ＣＤプレーヤ、ラジオ等の音響機器、あるいはチャイムやブザー等に対応している。例えば、No.１スイッチが照明機器、No.２スイッチがＣＤプレーヤ、No.３スイッチがラジオ、No.４スイッチがチャイム、…No.ｎスイッチがブザー等のように一対一に対応して設けられている。そして、リモコン操作器４４の各々のスイッチを押し操作することで、前記現場機器に対応する赤外線信号を発信できるように構成されている。
前記リモコン受信部４１は、図３（Ａ）に示すように、赤外線の受光素子であるピン・フォト・ダイオード４１ｆを備えている。ピン・フォト・ダイオード４１ｆの出力信号は、復調回路４１ｔにおいて電圧変換された後、増幅され、さらにフィルタ、検波回路、波形整形回路等に通されて前記パルス信号に変換された後、ＣＰＵ３４に入力される。例えば、リモコン操作器４４のNo.１スイッチが押し操作された状態では、No.１スイッチに対応する赤外線信号がリモコン受信部４１によりNo.１スイッチに対応するパルス信号（No.１信号データ）に変換されてＣＰＵ３４に入力される。
【００１７】
ＣＰＵ３４は、リモコン受信部４１からの信号データを信号記憶部４３に伝送する。
信号記憶部４３は、リモコン操作器４４のNo.１〜No.ｎスイッチに対応するリモコン受信器付きの機器の動作に必要な信号データ（No.１〜No.ｎ信号データ）を記憶できるように構成されている。即ち、リモコン操作器４４のNo.１スイッチが押し操作された状態で、ＣＰＵ３４がリモコン受信部４１からNo.１スイッチに対応するパルス信号（No.１信号データ）を受信すると、ＣＰＵ３４はそのNo.１信号データを信号記憶部４３に伝送する。そして、後記するように、バッテリ２２の充電完了時に信号記憶部４３に記憶されているNo.１信号データを読み出して、そのNo.１信号データをリモコン発信部４５に伝送する。
【００１８】
リモコン発信部４５は、ＣＰＵ３４からの出力信号を赤外線信号に変換し、現場機器、例えば、照明機器、ＣＤプレーヤ、ラジオ等の音響機器、あるいはチャイムやブザー等に発信する。
即ち、リモコン発信部４５は、図３（Ｂ）に示すように、ＣＰＵ３４からの出力パルス信号を変調回路４５ｅで所定の変調周波数に変調した後、赤外線ＬＥＤ４５ｚにより赤外線信号として出力する。リモコン発信部４５は、赤外線信号を充電器３０の周囲にむらなく発信可能なように、複数台が異なる方向を指向して設置されている。
例えば、ＣＰＵ３４がNo.１信号データをリモコン発信部４５に伝送した場合、リモコン発信部４５はNo.１信号データに基づくパルス信号を赤外線信号に変換して現場の機器に出力する。これにより、No.１信号データ（リモコン操作器４４のNo.１スイッチ）に対応して、前述のように、照明機器が点灯するようになる。
【００１９】
＜本実施形態に係る充電装置１０の動作について＞
次に、図４、図５に示すフローチャートに基づいて本実施形態に係る充電装置１０の動作について説明する。ここで、図４、図５のフローチャートに基づく処理は、ＣＰＵ３４のメモリに格納されているプログラムに従って実行される。
先ず、リモコン操作器４４でバッテリ２２の充電完了時に動作させる現場機器を選択する。例えば、リモコン操作器４４のNo.２スイッチを押してＣＤプレーヤを選択すると、リモコン操作器４４のNo.２スイッチに対応する赤外線信号が充電器３０のリモコン受信部４１で受信される。そして、リモコン受信部４１が前記赤外線信号をNo.２スイッチに対応するパルス信号（No.２信号データ）に変換してＣＰＵ３４に伝送する。これにより、リモコン操作器４４からの信号受信をＣＰＵ３４が検知し（図４  ステップＳ１０１  ＹＥＳ）、信号受信を表示するＬＥＤ（Ｒ１）を約２秒点灯させ、その後点滅させる（ステップＳ１０４）。
さらに、ＣＰＵ３４は、リモコン受信部４１からのNo.２信号データを信号記憶部４３に記憶させて、タイマをスタートさせる（ステップＳ１０６）。そして、No.２信号データが記憶されてから規定時間が経過すると（ステップＳ１１０  ＹＥＳ）、点滅状態のＬＥＤ（Ｒ１）が消灯し、前記タイマがリセットされる（ステップＳ１１１）。
この状態で、リモコン操作器４４のNo.２スイッチ（No.２信号データ）に対応するＣＤプレーヤの選択が確定する。
【００２０】
また、ＣＤプレーヤの選択が確定する前に、即ち、No.２信号データが記憶されてから規定時間が経過する前に（ステップＳ１１０  ＮＯ）、リモコン操作器４４の別のスイッチ（例えば、照明機器に対応するNo.１スイッチ）が押されると（ステップＳ１１２  ＹＥＳ）、信号受信を表示するＬＥＤ（Ｒ１）が約２秒点灯し、その後点滅する（ステップＳ１１３）。
さらに、ＣＰＵ３４は、リモコン受信部４１からのNo.１信号データを信号記憶部４３に追加記憶させ、ステップＳ１０６でスタートさせたタイマをリセットし、再スタートさせる（ステップＳ１１５）。即ち、この時点で、信号記憶部４３には、No.２信号データとNo.１信号データとが記憶されている。
そして、二番目のNo.１信号データが記憶されてから規定時間が経過すると（ステップＳ１１０  ＹＥＳ）、点滅状態のＬＥＤ（Ｒ１）が消灯し、前記タイマがリセットされる（ステップＳ１１１）。
この状態で、リモコン操作器４４のNo.２スイッチ（No.２信号データ）に対応するＣＤプレーヤと、No.１スイッチ（No.１信号データ）に対応する照明機器の選択が確定する。
【００２１】
また、ＣＤプレーヤと照明機器の選択が確定する前に、即ち、二番目のNo.１信号データが記憶されてから規定時間が経過する前に（ステップＳ１１０  ＮＯ）、リモコン操作器４４の別のスイッチ（例えば、ラジオに対応するNo.３スイッチ）が押されると（ステップＳ１１２  ＹＥＳ）、信号受信を表示するＬＥＤ（Ｒ１）が約２秒点灯し、その後点滅する（ステップＳ１１３）。
さらに、ＣＰＵ３４は、リモコン受信部４１からのNo.３信号データを信号記憶部４３に追加記憶させ、前回ステップＳ１１５で再スタートさせたタイマをリセットし、再スタートさせる（ステップＳ１１５）。即ち、この時点で、信号記憶部４３には、No.２信号データとNo.１信号データとNo.３信号データとが記憶されている。
そして、三番目のNo.３信号データが記憶されてから規定時間が経過すると（ステップＳ１１０  ＹＥＳ）、点滅状態のＬＥＤ（Ｒ１）が消灯し、前記タイマがリセットされる（ステップＳ１１１）。
この状態で、リモコン操作器４４のNo.２スイッチ（No.２信号データ）に対応するＣＤプレーヤと、No.１スイッチ（No.１信号データ）に対応する照明機器と、No.３スイッチ（No.３信号データ）に対応するラジオの選択が確定する。
【００２２】
また、上記したように、現場の機器の選択が確定した後、再び、リモコン操作器４４のスイッチ（例えば、チャイムに対応するNo.４スイッチ）が押されると（ステップＳ１０１  ＹＥＳ）、信号受信を表示するＬＥＤ（Ｒ１）が約２秒点灯し、その後点滅する（ステップＳ１０４）。この状態で、ＣＰＵ３４は、リモコン受信部４１からのNo.４信号データを信号記憶部４３の信号データに上書きして、タイマをスタートさせる（ステップＳ１０６）。そして、No.４信号データが記憶されてから規定時間が経過すると（ステップＳ１１０  ＹＥＳ）、点滅状態のＬＥＤ（Ｒ１）が消灯し、前記タイマがリセットされる（ステップＳ１１１）。
この状態で、リモコン操作器４４のNo.４スイッチ（No.４信号データ）に対応するチャイムの選択が確定する。
【００２３】
このように、リモコン操作器４４でバッテリ２２の充電完了時に動作させる現場機器を選択し、その選択が確定した段階で、バッテリ２２の充電準備が完了する。
次に、充電器３０の連結部３５に対して電池パック２０の連結部２５が連結されると（ステップＳ１０２  ＹＥＳ）、ＣＰＵ３４の信号でスイッチ３６がオンしてバッテリ２２の充電が開始される。そして、時間が経過し、バッテリ２２の充電が完了すると、充電用のスイッチ３６がオフ状態になるとともに、充電完了を表すＬＥＤ（Ｒ０）が発光する（図５  ステップＳ１２１）。
ここで、信号記憶部４３に、例えば、No.４信号データが記憶されている場合には（ステップＳ１２２  ＹＥＳ）、No.４信号データがＣＰＵ３４に読み出され、ＣＰＵ３４から各々のリモコン発信部４５に出力される。そして、ＣＰＵ３４から信号データが出力される際に、信号発信を表すＬＥＤ（Ｒ２）が5秒間発光する（ステップＳ１２３）。
各々のリモコン発信部４５に出力されたNo.４信号データは、リモコン発信部４５で赤外線信号に変換されて出力される。これにより、バッテリ２２の充電完了時に現場でチャイムが鳴り、充電装置１０の動作が終了する。
また、信号記憶部４３に、例えば、No.１〜No.３信号データが記憶されている場合には（ステップＳ１２２  ＹＥＳ）、No.１〜No.３信号データが順番にＣＰＵ３４に読み出され、ＣＰＵ３４から各リモコン発信部４５に出力される。そして、各々のリモコン発信部４５に出力されたNo.１〜No.３信号データは、リモコン発信部４５で順番に赤外線信号に変換されて出力される。これにより、バッテリ２２の充電完了時に、照明機器が点灯し、ＣＤプレーヤが動作し、さらに、ラジオが鳴る。
以上、説明したように、ＣＰＵ３４が本発明の充電制御手段に相当し、リモコン受信部４１が本発明のリモコン受信手段に相当する。また、信号記憶部４３が本発明の信号記憶手段に相当し、リモコン発信部４５が本発明のリモコン発信手段に相当する。さらに、ＬＥＤ（Ｒ１）が本発明の受信表示部に相当し、ＬＥＤ（Ｒ２）が本発明の発信表示部に相当する。
【００２４】
＜本発明に係る充電装置１０の長所について＞
本発明に係る充電装置１０によると、例えば、リモコン操作器４４で照明器具を選択すれば、バッテリの充電完了時に照明器具を点灯させることが可能になる。同様に、照明器具の代わりに、ＣＤプレーヤ、ラジオ等の音響機器やチャイム、あるいはブザー等を使用し、リモコン操作器でＣＤプレーヤ、ラジオ等を選択することで、バッテリの充電完了時に好みの音楽等を発生させることが可能になる。
これにより、現場に複数の充電装置が存在する場合でも、使用者は特定の充電装置におけるバッテリの充電完了を明確に知ることができ、他の充電器の充電完了音と区別ができる。
また、リモコン操作器４４の無線出力信号は、現場機器の種類に対応して複数パターン設けられている。このため、リモコン操作器４４により複数種類の機器から希望する機器を選択できるようになる。
【００２５】
また、信号記憶部４３に先の信号データが記憶されてから所定時間以内に別の信号データが入力された場合には、先の信号データと別の信号データとが共に記憶される構成である。これに対して、信号記憶部４３に先の信号データが記憶されてから所定時間を超えて別の信号データが入力された場合には、先の信号データに別の信号データが上書きされる。このため、バッテリ２２の充電完了時に複数の機器を動作させることも、単独の機器を動作させることも、自由自在に行なえるようになる。
また、リモコン操作器４４の無線出力信号をリモコン受信部４１が受信したときに、発光するＬＥＤ（Ｒ１）が設けられている。このため、使用者がリモコン操作器４４を操作する時に、充電装置１０のリモコン受信部４１がリモコン操作器４４の無線出力信号を受け付けたことを容易に判断できる。
また、リモコン発信部が無線信号を出力したときに、発光するＬＥＤ（Ｒ２）を有する。このため、バッテリの充電完了時に、リモコン発信部４５が無線信号を出力したことを使用者が容易に判断できる。
また、複数のリモコン発信部４５が異なる方向を指向して設けられている。このため、現場機器が充電装置１０に対してどの方向にあってもリモコン発信部４５の無線信号で前記現場機器を動作させることが可能になる。
【００２６】
＜変更例＞
ここで、本発明は上記実施形態に限定されるものではなく、本発明の要旨を逸脱しない範囲における変更が可能である。例えば、本実施形態では、リモコン操作器４４の無線信号を信号データに変換して信号記憶部４３に記憶し、充電完了時にその信号データを読み出す例を示した。しかし、信号記憶部４３に予め複数の信号データを記憶しておき、リモコン操作器４４によって信号記憶部４３内の信号データを選択して、充電完了時にその信号データを読み出す構成でも可能である。
また、本実施形態では、無線信号として赤外線信号を使用する例を示したが、これに限定されるものではない。
また、本実施形態では、充電器３０内にリモコン受信部４１、信号記憶部４３、及びリモコン発信部４５を全て設ける例を示したが、いずれかを電池パック２０側に設けることも可能である。
また、赤外線式のリモコン発信部４５を異なる方向を指向して複数台設ける例を示したが、移動可能な音響機器（例えば、ＣＤプレーヤ等）とセットで使用する場合には、前記リモコン発信部４５が一台あれば良い。
【図面の簡単な説明】
【００２７】
【図１】実施形態１に係る充電装置の回路構成を表すブロック図である。
【図２】充電装置を構成する充電器、及び電池パックの斜視図である。
【図３】リモコン受信部を表す模式図（Ａ図）、リモコン発信部を表す模式図（Ｂ図）である。
【図４】本実施形態に係る充電装置の動作を表すフローチャートである。
【図５】本実施形態に係る充電装置の動作を表すフローチャートである。
【符号の説明】
【００２８】
２０      電池パック
２２      バッテリ
３０      充電器
３４      ＣＰＵ（充電制御手段）
４１      リモコン受信部（リモコン受信手段）
４３      信号記憶部（信号記憶手段）
４４      リモコン操作器
４５      リモコン発信部（リモコン発信手段）
Ｒ１      ＬＥＤ（受信表示部）
Ｒ２      ＬＥＤ（発信表示部）
【図１】
2008072859.tif 000003
【図２】
2008072859.tif 000004
【図３】
2008072859.tif 000005
【図４】
2008072859.tif 000006
【図５】
2008072859.tif 000007